(57)【要約】【課題】陽極酸化処理、もしくはレーザーの彫刻技術により金属チップ上に同じ、もしくは異なる色を形成するか、もしくは図案や文字などを具えた保護膜層を設けた複数の散熱チップを少なくとも１以上ベース上の導熱管に一体に接続して形成するため、容易に規格などを識別することができるファンを提供する。【解決手段】少なくとも１以上の導熱管と、該導熱管に接続する複数の散熱チップとを含んでなり、該散熱チップは、陽極処理により色を具えた保護膜層を具えてなる。【選択図】図１
0003122817.tif 000002
【実用新案登録請求の範囲】
【請求項１】
少なくとも１以上の導熱管と、
該導熱管に接続する複数の散熱チップとを含んでなり、
該散熱チップは、陽極処理により色を具えた保護膜層を具えてなることを特徴とするファン。
【請求項２】
前記陽極処理により形成した保護膜層は、散熱チップの表面、もしくは周辺に形成することを特徴とする請求項１に記載するファン。
【請求項３】
前記散熱チップは、陽極処理を利用して二極電圧を調整し、作業時間を変更することにより、異なる色と厚さを具えた保護膜層を形成することを特徴とする請求項１に記載するファン。
【請求項４】
前記複数の散熱チップは、同じ色の保護膜層を具えたチップを押し圧成型により導熱管に接続することを特徴とする請求項１に記載するファン。
【請求項５】
前記複数の散熱チップは、異なる色の保護膜層を具えたチップを押し圧成型により導熱管に接続することを特徴とする請求項１に記載するファン。
【請求項６】
前記複数の散熱チップは、同じ色の保護膜層を具えた複数のチップからなり、接続部材により散熱チップセットを形成して押し圧成型により導熱管に接続することを特徴とする請求項１に記載するファン。
【請求項７】
前記複数の散熱チップは、同じ色の保護膜層を具えた複数の散熱チップからなり、該散熱チップを接続部材で接続して散熱チップセットを形成するとともに、異なる色の保護膜層を具えた複数の散熱チップからなる散熱チップセットを形成して、押し圧成型により導熱管に接続することを特徴とする請求項１に記載するファン。
【請求項８】
少なくとも１以上の導熱管と、
該導熱管に接続する複数の散熱チップとを含んでなり、
該散熱チップは、陽極処理にレーザー彫刻を合わせて色、図案、文字の１つか、それらを合わせて記載した保護膜層を具えてなることを特徴とするファン。
【請求項９】
ベースと、
該ベースに設ける複数の散熱チップとを含んでなり、
該散熱チップは、陽極処理により色を具えた保護膜層を具えてなることを特徴とするファン。
【請求項１０】
ベースと、
該ベースに設けられた複数の散熱チップとを含んでなり、
該複数の散熱チップは、同じ色の保護膜層を具えた複数の散熱チップからなり、複数の散熱チップを接続部材で接続して散熱チップセットを形成するとともに、異なる色の保護膜層を具えた散熱チップから異なる色の散熱チップセットを形成してベース上に位置決めすることを特徴とするファン。
【考案の詳細な説明】
【技術分野】
【０００１】
この考案は、ファンに関し、特にコンピュータに設けて内部の熱を外部に排出するファンに関する。
【背景技術】
【０００２】
現在、使用されている電子素子では、中央処理装置（ＣＰＵ）などやコンピュータ周辺機器などが発生する熱の排出はすべてファンを通して行っている。ファンは電子素子もしくは電子装置が発生する熱の伝導と熱の排出に直接対応するように設けられる。
【０００３】
ＣＰＵ及びコンピュータ周辺機器は、異なる製造業者が異なる規格で製造している。よってファンがそれぞれの電子素子もしくはコンピュータ周辺装置から発生する熱を有効に散熱するためには、異なる規格と型式のベースとチップの型式や規格を合わせて、ファンの規格において決められた位置に正確に配置して使用しなければならない。
【０００４】
しかしながら、従来のファンの多くは、高い熱伝導の同じ型式の金属のチップもしくはチップセットを具え、押し圧成型により異なる規格のベースか、もしくは導熱管に直接接続する。該導熱管は、異なる規格のベースに設けられるため、異なる規格及び型式のファンが形成される。しかし、従来の製造工程の異なる規格及び型式のファンは輸送もしくは倉庫で保管する過程において、さまざまなファンが混在して置かれるため、ファン本体の体積の規格が異なるか、同じ体積だが異なる規格のベースを具えたファンでなければ、それぞれのファンの識別が難しい。
【０００５】
また、従来のファンに設けられる複数のチップは、高い導熱係数を具えた金属チップを押し圧成型し、表面処理もしくは保護層などが設けられていないため、一定期間使用すると、ファンのチップの表面が酸化する。特に銅などの材質から形成している場合には、腐食もしくは表面に汚れが付くため、散熱効果に影響を与える。
【０００６】
さらに、従来の散熱ファンは、金属の色しか具えていないため、消費者の色彩に対する要求に応じることができず、美観も損なわれる。
【考案の開示】
【考案が解決しようとする課題】
【０００７】
この考案は、陽極酸化処理、もしくはレーザーの彫刻技術により金属チップ上に同じ、もしくは異なる色を形成するか、もしくは図案や文字などを具えた保護膜層を設けた複数の散熱チップを少なくとも１以上ベース上の導熱管に一体に接続して形成するため、容易に規格などを識別することができるファンを提供することを課題とする。
【課題を解決するための手段】
【０００８】
そこで、本考案の考案者は従来の技術にみられる欠点に鑑みて鋭意研究を重ねた結果、少なくとも１以上の導熱管と、該導熱管に接続する複数の散熱チップとを含んでなり、該散熱チップは、陽極処理により色を具えた保護膜層を具えてなるファンによって、課題を解決できる点に着眼し、かかる知見に基づいて本考案を完成させた。
【０００９】
以下、この考案について具体的に説明する。
請求項１に記載するファンは、少なくとも１以上の導熱管と、該導熱管に接続する複数の散熱チップとを含んでなり、該散熱チップは、陽極処理により色を具えた保護膜層を具えてなる。
【００１０】
請求項２に記載するファンは、請求項１における陽極処理により形成した保護膜層が、散熱チップの表面、もしくは周辺に形成する。
【００１１】
請求項３に記載するファンは、請求項１における散熱チップが、陽極処理を利用して二極電圧を調整し、作業時間を変更することにより、異なる色と厚さを具えた保護膜層を形成する。
【００１２】
請求項４に記載するファンは、請求項１における複数の散熱チップが、同じ色の保護膜層を具えたチップを押し圧成型により導熱管に接続する。
【００１３】
請求項５に記載するファンは、請求項１における複数の散熱チップが、異なる色の保護膜層を具えたチップを押し圧成型により導熱管に接続する。
【００１４】
請求項６に記載するファンは、請求項１における複数の散熱チップが、同じ色の保護膜層を具えた複数のチップからなり、接続部材により散熱チップセットを形成して押し圧成型により導熱管に接続する。
【００１５】
請求項７に記載するファンは、請求項１における複数の散熱チップが、同じ色の保護膜層を具えた複数の散熱チップからなり、該散熱チップを接続部材で接続して散熱チップセットを形成するとともに、異なる色の保護膜層を具えた複数の散熱チップからなる散熱チップセットを形成して、押し圧成型により導熱管に接続する。
【００１６】
請求項８に記載するファンは、少なくとも１以上の導熱管と、該導熱管に接続する複数の散熱チップとを含んでなり、該散熱チップは、陽極処理にレーザー彫刻を合わせて色、図案、文字の１つか、それらを合わせて記載した保護膜層を具えてなる。
【００１７】
請求項９に記載するファンは、ベースと、該ベースに設ける複数の散熱チップとを含んでなり、該散熱チップは、陽極処理により色を具えた保護膜層を具えてなる。
【００１８】
請求項１０に記載するファンは、ベースと、該ベースに設けられた複数の散熱チップとを含んでなり、該複数の散熱チップは、同じ色の保護膜層を具えた複数の散熱チップからなり、複数の散熱チップを接続部材で接続して散熱チップセットを形成するとともに、異なる色の保護膜層を具えた散熱チップから異なる色の散熱チップセットを形成してベース上に位置決めする。
【考案の効果】
【００１９】
この考案のファンは、陽極処理を通して色を具えた保護膜層を散熱チップ上に形成するため、色により規格がすぐに識別できるという効果を有する。
【考案を実施するための最良の形態】
【００２０】
この考案は、コンピュータ内部の熱を排出するファンを提供するものであって、少なくとも１以上の導熱管と、
該導熱管に接続する複数の散熱チップとを含んでなり、該散熱チップは、陽極処理により色を具えた保護膜層を具えて構成し、色により規格がすぐに識別できるという目的を実現した。
かかるファンの構造と特徴を詳述するために具体的な実施例を挙げ、図示を参照にして以下に説明する。
【実施例】
【００２１】
図１、２、３に、この考案のファンを開示する。図面によれば、ベース１と、該ベース１に設けられた少なくとも１以上の導熱管２と、表面に形成した孔に該導熱管２を貫装して設けられた複数の散熱チップ３とを含んでなり、色により規格が識別でき、酸化防止、腐食し難く、表面が汚れにくいファンを形成する。よって、異なる規格の電子素子及び電子装置と容易に合わせて使用することができる。
【００２２】
該ベース１は、高い導熱係数を具えた金属から形成し、表面、もしくは凹溝に該導熱管２の導熱端を固定して設ける。該ベース１の表面に対向する面には、異なる電子素子及び電子装置に対応する型式に成型して電子素子及び電子装置と密着するように熱で接続し、導熱する。
【００２３】
該複数の散熱チップ３は、高い導熱係数の金属チップ３１から形成し、陽極処理を通して散熱チップ３の表面に酸化膜を形成するとともに、二極電圧を変化させて散熱チップ３上に各種異なる色彩と厚さを具えた散熱チップ３を保護する保護膜層３２を形成する。よって、散熱チップ３の酸化、汚れ、腐食を防ぐとともに、散熱チップ３の表面の平面さ及び美観を高める。また、該保護膜層３２は、非常に薄い酸化膜からなり、気孔が設けられているため、散熱チップ３の散熱効果に影響を与えることがない。
【００２４】
陽極処理により形成する保護膜層３２は、実際には散熱チップ３の表面か、もしくは該散熱チップ３の周辺に形成してもよい。
【００２５】
また、陽極処理の過程において、レーザー彫刻によりそれぞれの酸化膜層上に色彩、図案、Ｐ４、ＡＭＤなどのような文字の内の１つを具えた各種図案や文字を形成するか、もしくは色彩、図案、文字などを合わせて記載した保護膜層３２を形成して、色彩、図案、文字などを通して更に容易にファンの規格を識別できるようにすることができる。
【００２６】
上述の陽極処理により形成する色彩、図案、文字を具えた複数の散熱チップ３は、実際に使用する場合には同じ、もしくは異なる色彩の保護膜層３２を具えた単一の散熱チップ３として、押し圧成型により導熱管２と一体に成型され、色を具えたファンを形成する。
【００２７】
図２、３に、この考案の他の実施例を開示する。図面によれば、陽極処理を通して色彩、図案、文字を形成した複数の散熱チップ３は、長手方向に垂直な側面の端縁部に接続部材３３を形成して、同じ色の保護膜層３２を具えた複数の散熱チップ３を接続して同じ色彩の散熱チップセット４を形成することができる。同色の散熱チップセット４、もしくは複数の異なる色の保護膜層３２、３２’、３２”を具えた散熱チップセット４、４’、４”を押し圧成型して熱導電管２と一体に成型して、単色、もしくは多色を具えたファンを形成することができる。
【００２８】
ファンに設けられる複数の散熱チップ３は、陽極処理か、もしくはレーザー彫刻によりそれぞれの酸化膜層上に各種の図案もしくは文字を色彩、図案、文字の内の１つを形成するか、それらを合わせて保護膜層３２に形成した散熱チップ３を散熱チップ３が酸化を防ぐ効果が高く、汚れや腐食を防ぐことができる。
【００２９】
同時に、陽極処理の過程において、二極電圧を調整し、処理時間を変えることにより、酸化膜からなる保護膜層３２の色彩や厚さを変化させることができる。また、同じ色の保護膜層３２の散熱チップ３か、もしくは異なる色の保護膜層３２’、３２”の散熱チップ３を直接、導熱管２に組み合わせてファンを形成することにより、色で規格を容易に識別できるとともに、ファンの色彩が豊富になり、美観を高めることができる。
【００３０】
図４、５に、この考案のその他の実施例を開示する。図面によれば、この実施例は図１に開示した実施例と構造が略同じである。この実施例では、陽極処理、もしくはレーザー彫刻によりそれぞれの酸化膜層上に色彩、図案、文字の内の１つか、もしくはそれらを合わせて記載した保護膜層３２を具えた散熱チップ３をベース１の表面に直接、排列して設けるか、もしくは接続部材３３を使用して形成した複数の散熱チップセット４、４”をベース１上に位置決めして設けて同じ、もしくは異なる色彩の保護膜層３２、３２”を具えたファンを形成する。
【図面の簡単な説明】
【００３１】
【図１】この考案のファンを示した説明図である。
【図２】この考案のファンの他の実施例を示した分解図である。
【図３】図２に開示するファンを組み合わせた場合を示した斜視図である。
【図４】この考案のファンのその他の実施例を示した分解図である。
【図５】図４に開示するファンを組み合わせた場合を示した斜視図である。
【符号の説明】
【００３２】
１      ベース
２      導熱管
３      散熱チップ
３１    金属チップ
３２    保護膜層
３２’  保護膜層
３２”  保護膜層
３３    接続部材
４      散熱チップセット
４’    散熱チップセット
４”    散熱チップセット
【図１】
0003122817.tif 000003
【図２】
0003122817.tif 000004
【図３】
0003122817.tif 000005
【図４】
0003122817.tif 000006
【図５】
0003122817.tif 000007
【手続補正書】
【提出日】平成18年4月7日(2006.4.7)
【手続補正１】
【補正対象書類名】実用新案登録請求の範囲
【補正対象項目名】全文
【補正方法】変更
【補正の内容】
【実用新案登録請求の範囲】
【請求項１】
少なくとも１以上の導熱管と、
該導熱管に接続する複数の散熱チップとを含んでなり、
該散熱チップは、陽極処理により色を具えた保護膜層を具えてなることを特徴とするファン。
【請求項２】
前記陽極処理により形成した保護膜層は、散熱チップの表面、もしくは周辺に形成することを特徴とする請求項１に記載するファン。
【請求項３】
前記散熱チップは、陽極処理を利用して二極電圧を調整し、作業時間を変更することにより、異なる色と厚さを具えた保護膜層を形成することを特徴とする請求項１に記載するファン。
【請求項４】
前記複数の散熱チップは、同じ色の保護膜層を具えたチップを押し圧成型により導熱管に接続することを特徴とする請求項１に記載するファン。
【請求項５】
前記複数の散熱チップは、異なる色の保護膜層を具えたチップを押し圧成型により導熱管に接続することを特徴とする請求項１に記載するファン。
【請求項６】
前記複数の散熱チップは、同じ色の保護膜層を具えた複数のチップからなり、接続部材により散熱チップセットを形成して押し圧成型により導熱管に接続することを特徴とする請求項１に記載するファン。
【請求項７】
前記複数の散熱チップは、同じ色の保護膜層を具えた複数の散熱チップからなり、該散熱チップを接続部材で接続して散熱チップセットを形成するとともに、異なる色の保護膜層を具えた複数の散熱チップからなる散熱チップセットを形成して、押し圧成型により導熱管に接続することを特徴とする請求項１に記載するファン。
【請求項８】
前記複数の散熱チップは、陽極処理にレーザー彫刻を合わせて色、図案、文字の１つか、それらを合わせて記載した保護膜層を具えてなることを特徴とする請求項１に記載するファン。